(57)【要約】【課題】  耐久性に優れ、かつ、廃棄時の分別に手間がかからない防風・防砂柵を提供する。【解決手段】防風・防砂柵１は、複数の木製の支柱２と、支柱２に交差して延びるとともに支柱２の上方に位置する第１横木３と、第１横木３の下方に位置する第２横木４と、支柱２および第１横木３、支柱２および第２横木４をそれぞれ連結する木製の連結具５と、支柱２の間に位置し第１横木３および第２横木４に交差して延びる複数の縦木６と、第１横木３または第２横木４と、縦木６とを互いに固定する植物由来材料によって構成される固定具７とを備える。【選択図】図１
0003201903.tif 000002
【実用新案登録請求の範囲】
【請求項１】
複数の木製の支柱と、
前記支柱に交差して延びるとともに前記支柱の上方に位置する第１横木および前記第１横木の下方に位置する第２横木と、
前記支柱および前記第１横木、前記支柱および前記第２横木をそれぞれ連結する木製の連結具と、
前記支柱の間に位置し前記第１横木および前記第２横木に交差して延びる複数の縦木と、
前記第１横木または第２横木と、前記縦木とを互いに固定する植物由来材料によって構成される固定具と、
を備えたことを特徴とする防風・防砂柵。
【考案の詳細な説明】
【技術分野】
【０００１】
この考案は、砂浜等に設置され防砂および防風機能を有する防風・防砂柵に関し、より詳細には防砂林として植栽された苗木等の周りに設置され、苗木等を砂や風から保護することができる防風・防砂柵に関する。
【背景技術】
【０００２】
従来、防砂林として松の苗木等を砂浜に植栽し、この苗木が成長するまでの間、砂や風から保護するために防風・防砂柵で囲っていた。柵がないと、砂や風によって苗木が倒れてしまい十分に成長できず、防砂林として機能できなくなってしまう。そこで、少なくとも苗木が十分に成長するまで、防風・防砂柵を設け苗木を保護することとしている。このような防風・防砂柵は、苗木が成長した後に撤去されることもあるし、そのまま放置される場合もある。
【先行技術文献】
【特許文献】
【０００３】
【特許文献１】特開２０００−２７１２２号公報
【考案の概要】
【考案が解決しようとする課題】
【０００４】
しかしながら、従来の防風・防砂柵は、木材を釘、針金、ボルトなどの金属金具で固定したものを用いるのが一般的であった。苗木が成長した後、これを撤去しようとした場合には、金具の分別が非常に煩わしいという問題があった。また、そのまま放置した場合には、木材は劣化するが、釘や針金は木材に比べて劣化せず、これら木材から飛び出たりして、見た目にもよくないし、付近を通る人にとって危険であるという問題もあった。さらに、釘等が錆びてしまった場合には、これらを木材から抜くことができず、解体が困難であった。そのようなときは、チェーンソーやのこぎりで木材を切断し解体していたが、釘やボルトがある部分では切断することもできないという問題もあった。
さらに、特許文献１のように紙製廃棄物を用いて防風・防砂柵を形成するというものもあるが、この場合には耐久性に欠け、苗木が成長する前に自然分解されてしまうことが懸念される。
【０００５】
この考案では、耐久性に優れ、かつ、廃棄時の解体および分別に手間がかからない防風・防砂柵を提供することを課題とする。
【課題を解決するための手段】
【０００６】
この考案は、複数の木製の支柱と、前記支柱に交差して延びるとともに前記支柱の上方に位置する第１横木および前記第１横木の下方に位置する第２横木と、前記支柱および前記第１横木、前記支柱および前記第２横木をそれぞれ連結する木製の連結具と、前記支柱の間に位置し前記第１横木および前記第２横木に交差して延びる複数の縦木と、前記第１横木または第２横木と、前記縦木とを互いに固定する植物由来材料によって構成される固定具と、を備えたことを特徴とする。
【考案の効果】
【０００７】
この考案の防風・防砂柵によれば、構成要素のすべてを木製または植物由来材料を用いているので、これを撤去する際の分別が不要である。また、主要部を木製材料によって構成するので、風雨に対する耐久性が高く、長期間に亘ってその形状を維持することができる。
【図面の簡単な説明】
【０００８】
【図１】この考案の防風・防砂柵の一例を示す斜視図であって、説明のためその一部を破断した図。
【図２】図１のＩＩ−ＩＩ線拡大断面図。
【図３】連結具の説明図。
【考案を実施するための形態】
【０００９】
図１および２を参照すれば、防風・防砂柵１は、図面上下方向へ延びる複数の木製の支柱２と、支柱２に交差して延びるとともに支柱２の上方に位置する第１横木３と、第１横木３の下方に位置する第２横木４と、支柱２および第１横木３、支柱２および第２横木４をそれぞれ連結する木製の連結具５と、支柱２の間に位置し第１横木３および第２横木４に交差して延びる複数の縦木６と、第１横木３または第２横木４と、縦木６とを互いに固定する植物由来材料によって構成される固定具７とを備える。
【００１０】
支柱２は、上端部２Ａに比較して下端部２Ｂが先鋭となっており、砂浜等に打ち込みやすいようにしている。第１横木３および第２横木４は、それぞれ厚さ方向へ２枚並んで配置される。これら第１横木３および第２横木４は、連結具５によって支柱２に固定される。特に図３を参照すれば、連結具５は、木製の柱状の棒体５１と、棒体５１の端面５１Ａから挿入される木製のくさび５２とを含む。棒体５１には、端面５１Ａからその奥へと向かうスリット５３が設けられる。スリット５３にくさび５２を打ち込むことができる。
【００１１】
特に図２を参照すれば、第１横木３の一端部３Ａおよび他端部３Ｂにはそれぞれ略円形の貫通孔３１Ａおよび３１Ｂがそれぞれ設けられるとともに、支柱２の上端部２Ａにも径方向に貫通する略円形の貫通孔２１Ａが設けられる。二枚の第１横木３の貫通孔３１Ａおよび支柱２の貫通孔２１Ａには、棒体５１が挿入される。第１横木３および支柱２に挿入された棒体５１のスリット５３にはくさび５２が打ち込まれる。くさび５２を打ち込むことによって、スリット５３が広がり、棒体５１が貫通孔２１Ａに押圧されて第１横木３および支柱２が強固に連結および固定され、抜けにくくすることができる。同様に第１横木３の他端部３Ｂに設けられた貫通孔３１Ｂにも棒体５１が挿入され、支柱２と連結される。
【００１２】
さらに、図示しないが、第２横木４の一端部４Ａおよび他端部４Ｂにも略円形の貫通孔４１Ａおよび４１Ｂがそれぞれ設けられる。これら貫通孔４１Ａおよび４１Ｂと支柱２に設けられた貫通孔２１Ａとに棒体５１を挿入し、くさび５２を打ち込むことによって、第２横木４と支柱２とを連結、固定することができる。このように、くさび５２とスリット５３を用いることによって、支柱２および第１横木３、支柱２および第２横木４をそれぞれ連結することができるから、金属金具を用いる必要がない。
【００１３】
上記のように第１横木３の貫通孔３１Ａ，３１Ｂ、第２横木４の貫通孔４１Ａ，４１Ｂ、および支柱２の貫通孔２１Ａが略円形であり、これに柱状の棒体５１を挿入する。したがって、第１横木３および第２横木４は支柱２に対して棒体５１を中心に回動可能となる。防風・防砂柵１を傾斜地に設置する場合には、その角度に合わせて第１横木３および第２横木４を回動させ支柱２との角度を変更することができる。したがって、傾斜地においても容易に設置が可能である。
【００１４】
縦木６は、二枚の第１横木３の間、および二枚の第２横木４の間にそれぞれ保持される。具体的には、縦木６の上端部６Ａが第１横木３の間に位置し、下端部６Ｂが第２横木４の間に位置する。縦木６は、固定具７によって第１横木３および第２横木４にそれぞれ固定される。具体的に、固定具７として木製のくさびを用いることができる。固定具７であるくさびは、縦木６と第１横木３の間、縦木６と第２横木４の間であって、その上方から打ち込む。このようにすることで、縦木６を第１横木３の間、第２横木４の間にそれぞれ固定することができる。
【００１５】
このような防風・防砂柵１を施工する際、作業者は一本目の支柱２の下端部２Ｂ側を地中に埋設し、続いて第２横木４の一端部４Ａの貫通孔４１Ａと支柱２の貫通孔２１Ａとを一致させ、棒体５１を挿入して仮止めする。このとき第２横木４から手を放すと、一端部４Ａは棒体５１によって保持され、他端部４Ｂは地面で保持される。次に、作業者は第２横木４の他端部４Ｂ側へと移動し、設置した他端部４Ｂの近傍に二本目の支柱２の下端部２Ｂを埋設する。次に、第２横木４の他端部４Ｂの貫通孔４１Ａおよび二本目の支柱２の貫通孔２１Ａに棒体５１を挿入し仮止めする。同様に、第１横木３の一端部３Ａおよび他端部３Ｂも支柱２に仮止めする。次に、二枚の第１横木３の間および二枚の第２横木４の間を通るように縦木６を挿入する。二枚の第１横木３および二枚の第２横木４の間隔は、それぞれ縦木６の厚さよりも大きくしておく。縦木６の下端部６Ｂは地面に当接し保持される。縦木６を挿入したら、仮止めしていた第１横木３の一端部３Ａおよび他端部３Ｂをそれぞれ連結具５で支柱２に固定するとともに、第２横木４の一端部４Ａおよび他端部４Ｂも連結具５で支柱２に固定する。さらに、縦木６と第１横木３との間、縦木６と第２横木４との間に固定具７を挿入し、これらを固定する。
【００１６】
上記のような施工方法によれば、一本目の支柱２と二本目の支柱２との間隔を仮止めした第２横木４で把握することができる。したがって、メジャー等他の器具を使用して支柱の間隔を測定する必要がなく、施工性に優れている。また、メジャー等を使用した場合には、その先端を抑える人と、他端でメジャーを伸ばして測定する人が必要であるが、この実施形態では一人で施工することができる。
【００１７】
上記のような防風・防砂柵１によれば、構成要素のすべてを木製としているので、仮にこれを撤去する場合であっても、分別の必要がない。また、撤去しない場合であっても、木材が風化し自然分解させるだけであるので、環境に非常に優しい。さらに、風化の過程において釘や針金などが構成部材から突出し、これでけがをするということもない。植林された苗木が成長し防砂林として機能するまでには数年の月日を要するとされているが、この考案では木製の部材を用いるので少なくとも数年の耐久性を有し、苗木が成長するまでは防風・防砂柵１として機能することができる。
【００１８】
この実施形態で用いられる木材として、杉等の間伐材を用いることができる。間伐材を用いることによって、小径木および低質材の有効利用を図ることができるとともに、森林の育成に寄与することができる。また、金具を使用しないことにより二酸化炭素の排出を削減でき、さらには、木材を利用することによる二酸化炭素の固定を図ることもでき、地球環境の保護に貢献することができる。
【００１９】
この実施形態において、一対の支柱２とその間に位置する第１横木３、第２横木４および縦木６をひとつのユニットとして、これを複数ユニット連続して設置することができる。この時、第１のユニットと第２のユニットにおいて、支柱２を共通にすることができる。また、第１のユニットの第１横木３および第２横木４を支柱２の手前側に設置した場合、これに隣接する第２のユニットの第１横木３および第２横木４は、支柱２の奥側に設置することが望ましい。このように交互に設置することによって、一本の支柱２の手前側に第１のユニットの第１横木３および第２横木４を取付け、奥側に第２のユニットの第１横木３および第２横木４を取付けることができ、支柱２を有効に利用することができる。また、連結具５も第１のユニットと第２のユニットとで共通して使用することができ資源を節約することができる。
【００２０】
この実施形態において、固定具７として木製のくさびを用いているが、例えば棕櫚縄等の植物由来材料を用いた他の部材を用いることもできる。すなわち、第１横木３または第２横木４と、縦木６とを棕櫚縄で結んで固定することもできる。また、第１横木３および第２横木４のいずれか一方においてくさびの固定具７を用い、他方において棕櫚縄等の固定具７を用いることもできる。このように固定具７として、植物由来材料を用いることで、防風・防砂柵１の撤去時の分別を不要とすることができる。また、棒体５１は、各貫通孔に挿入可能であれば、円柱型でも多角柱型でもよい。さらに、この実施形態で用いる木材においては、防腐剤を注入して用いることもできる。
【符号の説明】
【００２１】
１    防風・防砂柵
２    支柱
３    第１横木
４    第２横木
５    連結具
６    縦木
７    固定具
【図１】
0003201903.tif 000003
【図２】
0003201903.tif 000004
【図３】
0003201903.tif 000005